【事件の表示】
　特願２００５−１９６９３０「操作装置および操作システム」拒絶査定不服審判事件〔平成１９年　１月２５日出願公開、特開２００７−　１８１０９〕について、次のとおり審決する。
【結　論】
　本件審判の請求は、成り立たない。
【理　由】
１．手続きの経緯・本願発明
　本願は、平成１７年７月６日の出願であり、平成１９年９月２６日付けで拒絶査定がなされ、それに対して同年１１月１日に拒絶査定不服の審判請求がなされるとともに手続補正書が提出されたものであって、その請求項１に係る発明は、平成１９年１１月１日に提出された手続補正書により補正された明細書及び図面の記載からみて、その特許請求の範囲の請求項１に記載された事項により特定される次のとおりのものと認める。（以下、「本願発明」という。）
　
「異なる操作が割り当てられた複数の指示キーが配列されているキー配列画面を用い、複数の前記指示キーのいずれかをカーソルによって選択することで操作を行う操作装置であって、
　装置の傾きを検出して姿勢信号を出力する傾斜角検出手段と、
　配列された複数の前記指示キーのいずれかを選択するキー選択カーソルを前記姿勢信号に基づいて装置が傾斜している方向に移動させ、前記キー選択カーソルが位置する前記指示キーに前記カーソルを移動させるカーソル制御手段とを具備することを特徴とする操作装置。」
　
２．引用例
（１）原査定の拒絶の理由に引用された特開２００３−３１６５１１号公報（以下、「引用例１」という。）には、図面とともに次の記載がある。
（イ）「図１は、本発明の実施の形態１にかかわる入力装置のハードウェアのブロック図である。本実施の形態のハードウェアは、装置の縦方向（Ｙ方向）と横方向（Ｘ方向）の傾きを検出する傾き角度検出センサ１０１と、センサ１０１の信号をデジタル信号に変換し、傾き角度値に変換するセンサ入力手段１０２と、情報を表示する液晶パネル１０４と、液晶パネル駆動回路１０５と、装置にバイブレーションを発生するバイブレーションモータ１０６と、バイブレーションモータのモータ駆動回路１０７と、情報を処理するＣＰＵ１０３と、ＣＰＵ１０３のソフトウェアと固定データを記憶するＲＯＭ１０８と、可変データを記憶するＲＡＭ１０９と、ＣＰＵ１０３から時間の設定、呼び出し、クリアの可能なタイマ１１０で構成される。
【００１２】図２は、本発明の実施の形態１にかかわる入力方法の操作の概念を示す図である。２０２、２０４、２０６、２０８、２１０、２１２は、入力装置を操作する人の側から見た斜視図で、２０２、２０４、２０６、２０８、２１０、２１２の順に入力装置の傾き角度は、手前側が低くなる方向に大きくなっている。
【００１３】また、２０１、２０３、２０５、２０７、２０９、２１１はそれぞれの傾き角度に対応した前記入力装置の液晶パネルの画面を示し、２０２の傾きの時は最上段の「１、アドレス」の項目にカーソルが有り、２０４の傾きの時は、上から２番目の「２、予定表」の項目にカーソルが有り、２０６の傾きの時は、上から３番目の「３、クロック」の項目にカーソルが有り、２０８の傾きの時は、上から４番目の「４、メモ帳」の項目にカーソルが有り、２１０の傾きの時は、上から５番目の「５、メール」の項目にカーソルが有り、２１２の傾きの時は、上から６番目の「６、電話」の項目にカーソルが有る。
【００１４】例えば、カーソルが「４、メモ帳」の場所に有る時に、入力装置の傾き角度を急激に変化させた場合、メモ帳機能が選択されてメモ帳画面が表示される。
【００１５】図２の画面は、入力装置を縦方向に傾けてカーソルを移動させる場合の画面例であるが、本発明の入力方法は、図３で示したように選択する項目が、上下、左右にある場合も、入力装置を縦、横に傾けることで対応可能である。
【００１６】図４は、本発明の実施の形態１にかかわる液晶パネルの表示画面の一例である。入力装置の傾きが０°の場合の表示で、カーソルが「３、項目３」に置かれている。
【００１７】図５は、図４の画面の場合にＲＯＭ１０８に格納したソフトウェアをＣＰＵ１０３で実行することによって作成し、ＲＡＭ１０９内に記憶されるカーソル移動角度テーブルを模式的に表した図である。このカーソル移動角度テーブルに従って、カーソルの移動処理が行われる。ここで、入力装置を操作する人から見て、遠い方の側が低くなる方向に入力装置を傾ける時は、＋方向の角度への傾き、その逆方向に装置を傾ける時は−方向角度への傾きとしている。」（段落【００１１】〜【００１７】）
　
（ロ）「【００２８】図８のステップＳ８０１で、傾き角度検出センサからＹ軸方向（操作する人から見て縦方向）の傾き角度データを読み出し、傾き角度の値をｙに代入する。この傾き角度データの読み出し処理は１０ｍｓｅｃ毎に行われる。（１０ｍｓｅｃ待つ処理はステップＳ８０７）ステップＳ８０２で、傾き角度ｙから前回の傾き角度を引き算した値の絶対値が設定角度以上であるか判断する。設定角度以上である場合は、１０ｍｓｅｃの間に設定角度以上の傾き変化があり、傾きが急激に変化したと判断出来るので、ステップＳ８１１へ進み項目選択処理に移行する。この設定角度は、入力装置の傾きが急激に変更された事を検出するパラメータで、実験等によって決定して予め設定する。
【００２９】ステップＳ８１１でカーソルが置かれた項目を選択して、ステップＳ８１２に進み選択された項目の処理に移行する。ステップＳ８０２で傾きが緩やかに変化したと判断された場合は、ステップＳ８０３へ進む。
【００３０】ステップＳ８０３では、ステップＳ８０１で読み出した傾き角度データを、前回の傾き角度として記憶する。
【００３１】ステップＳ８０４で、現在カーソルが置かれた項目へのカーソル移動角度を図５のカーソル移動角度データテーブルから読み出して、傾き角度データｙからカーソル移動角度を引き算して、その値が５°より大きい場合は、カーソルが上方向の次項目に移動するのに充分な角度が傾けられたと判断できるので、ステップＳ８０８へ進む、前記値が５°より小さい場合は、上方向の次項目にカーソルが移動する程大きく角度が傾けられて無いと判断出来るので、ステップＳ８０５へ進む。ここで、ステップＳ８０４の比較値５°は、図７のステップＳ７０１で計算した「カーソル移動単位」を使用する。この５°がプラスの角度方向の不感帯値となる。
【００３２】ステップＳ８０５で、Ｓ８０１で読み出した傾き角度データｙから、現在カーソルが置かれた項目へのカーソル移動角度を引き算して、その値が−５°より小さい場合は、カーソルが下方向の次項目に移動するのに充分な角度が傾けられたと判断できるので、ステップＳ８０６へ進む。前記値が−５°より大きい場合は、下方向の次項目にカーソルが移動する程大きく角度が傾けられて無いと判断出来るので、ステップＳ８０７へ進む。ここで、ステップＳ８０５の比較値−５°は、図７のステップＳ７０１で計算された「カーソル移動単位」を負の数に直した数値を使用する。この−５°が負の角度方向の不感帯値となる。
【００３３】ステップＳ８０８は、現状のカーソル位置への移動角度より５°以上、＋方向に傾いた場合の処理で、液晶パネルの上方向の次の項目にカーソルを移動して、ステップＳ８０９へ進む。
【００３４】ステップＳ８０９でカーソルの位置に応じて、図６のバイブレータ振動パターンテーブルからバイブレータパターンを選んで、バイブレータの振動を変更する。
【００３５】ステップＳ８０６は、現状のカーソル位置への移動角度より５°以上、−方向に傾いた場合の処理で、液晶パネルの下方向の次の項目にカーソルを移動して、ステップＳ８０９へ移動する。
【００３６】ステップＳ８０７は、１０ｍｓｅｃ待つ処理で、一連の動作を１０ｍｓｅｃ毎に行う為の処理である。この処理によってステップＳ８０１でＹ方向の傾き角度を１０ｍｓｅｃ毎に読み出す事になるので、ステップＳ８０２で、今回読み出した傾き角度と、前回読み出した傾き角度を比較することによって、急激に傾きが変化したかどうかを判断することが出来る。
【００３７】図９は、図８のフローチャートを実行した入力方法の入力装置傾き角度と、カーソルの位置を示す図である。
【００３８】入力装置が水平状態（傾き角度０°）にあるとき、カーソルは液晶パネルの中央付近に表示された「３、項目３」上にある。入力装置を操作する人から見て、遠い方の側が低くなる方向に入力装置を傾ける時は、＋方向の角度への傾き、その逆方向に入力装置を傾ける時は−方向の角度への傾きとした時、入力装置を＋５°傾けると、カーソルは「２、項目２」に移動する。さらに入力装置を＋１０°傾けると、カーソルは「１、項目１」に移動する。
【００３９】入力装置を、−５°傾けると、カーソルは「４、項目４」に移動する。さらに入力装置を−１０°傾けると、カーソルは「５、項目５」に移動する。さらに入力装置を−１５°傾けるとカーソルは「６、項目６」に移動する。
【００４０】また、例えばカーソルが「４、項目４」の位置に有る場合、＋あるいは、−方向に５°以上傾けないと次の項目に移動しない不感帯を持つ。
【００４１】項目選択は、例えばカーソルが「４、項目４」の位置にある時に、急激に入力装置の傾きが変化した時、「４、項目４」の項目が選択される。」（段落【００２８】〜【００４１】）
　
（ハ）図３には、選択する項目がアルファベットＡ〜Ｚや記号等であって、項目が上下、左右に配列されている表示画面の入力装置が記載されている。
　
　以上の記載によれば、この引用例１には以下のような発明（以下、「引用例１発明」という。）が開示されていると認められる。
　　
「メモ帳、メール、電話等の異なる機能の複数の項目が配列されている表示画面が表示され、複数の前記項目のいずれかをカーソルによって選択することで入力を行う入力装置であって、
　装置の縦方向（Ｙ軸方向）と横方向（Ｘ軸方向）の傾きを検出して出力する傾き角度検センサとソフトウェアによりカーソルの移動処理を行うＣＰＵを備え、
　傾き角度検出センサから縦方向（Ｙ軸方向）の傾き角度データの読み出しを１０ｍｓｅｃ毎に行い、現在の傾き角度データから前の傾き角度データを引き算した値が５°より大きい場合は、カーソルが置かれていた項目から上方向の次項目にカーソルを移動し、前記引き算した値が−５°より小さい場合は、下方向の次項目にカーソルを移動し、カーソルが置かれた項目を選択して項目の処理、例えば、メモ帳機能が選択されてメモ帳画面の表示に移行することができる入力装置。」
　
（２）原査定の拒絶の理由に引用された特開２０００−５６８９７号公報（以下、「引用例２」という。）には、図面とともに次の記載がある。
（イ）「【００２８】ここで、図６の（ａ）に示すように、加速度センサ１に対してＹ軸を中心とする回動が発生した場合を考える。この場合には、図６の（ｂ）に示すように、Ｘ軸加速度検出部分に重力に対する静的加速度変位が現れることになる。これにより加速度センサ１は、この静的加速度変位を示すパルス信号を出力し、このパルス信号を受け取った変換部２は、スイッチ７が押下された状態にあるならば、図７の（ａ）に示すようなＸ軸の傾きを検出する。そして、変換部２は、図７の（ｂ）に示すように、Ｘ−Ｙ平面の傾きを検出し続けることにより加速度センサ１部分の回動を検出し、割込み信号ｃの発生および座標情報ｄの生成を行なう。このとき生成された座標情報ｄは、システムコントローラ３を経由してＣＰＵ４に転送され、この転送を受けたＣＰＵ４によって画像表示部６に対してカーソルを移動させる旨の通知が行なわれる。
【００２９】次に、図８の（ａ）に示すように、加速度センサ１に対してＸ軸を中心とする回動が発生した場合を考える。この場合には、図８の（ｂ）に示すように、Ｙ軸加速度検出部分に重力に対する静的加速度変位が現れることになる。これにより加速度センサ１は、この静的加速度変位を示すパルス信号を出力し、このパルス信号を受け取った変換部２は、スイッチ７が押下された状態にあるならば、図９の（ａ）に示すようなＹ軸の傾きを検出する。そして、変換部２は、図９の（ｂ）に示すように、Ｘ−Ｙ平面の傾きを検出し続けることにより加速度センサ１部分の回動を検出し、割込み信号ｃの発生および座標情報ｄの生成を行なう。このとき生成された座標情報ｄも、Ｘ軸を中心とした回動時と同様に、システムコントローラ３を経由してＣＰＵ４に転送され、この転送を受けたＣＰＵ４によって画像表示部６に対してカーソルを移動させる旨の通知が行なわれる。
【００３０】このように、この実施形態のコンピュータシステムにおいては、たとえば電車の中など、マウスを操作するために必要となる平面を確保することができない場合であっても、把持するシステム本体の筐体そのものを回動させることで所望の方向にカーソルを移動させることなどが可能となる。」（段落【００２８】〜【００３０】）
　
（ロ）「【００３３】なお、前述した実施形態では、変換部２は、加速度センサ１部分の回動を検出することにより、その回動の方向と予め対応づけられた方向にカーソルを移動させるための座標情報ｄを生成していたが、単に加速度センサ１から得られる筐体の傾きに応じてカーソルを移動制御しても構わない。この場合、たとえばカーソルを移動させたい方向にシステム本体の筐体を傾けるのみで、所望の方向にカーソルを移動させ続けることができ、また、その傾きの大きさに応じてカーソルの移動速度を変化させることによって、より細かな操作をサポートすることが可能となる。」（段落【００３３】）
　　
３．対　比
　本願発明と上記引用例発明１とを対比する。
　引用例１発明の「メモ帳、メール、電話等の異なる機能の複数の項目」は、本願発明の「異なる操作が割り当てられた複数の指示キー」に相当し、引用例１発明の「メモ帳、メール、電話等の異なる機能の複数の項目が配列されている表示画面」は、本願発明の「異なる操作が割り当てられた複数の指示キーが配列されているキー配列画面」に相当する。
　引用例１発明の「メモ帳、メール、電話等の異なる機能の複数の項目が配列されている表示画面が表示され、複数の前記項目のいずれかをカーソルによって選択することで入力を行う入力装置」は、本願発明の「キー配列画面を用い、複数の前記指示キーのいずれかをカーソルによって選択操作を行う操作装置」に相当する。
　引用例１発明の「装置の縦方向（Ｙ軸方向）と横方向（Ｘ軸方向）の傾きを検出して出力する傾き角度検出センサ」は、本願発明の「傾斜角検出手段」と「装置の傾きを検出して信号を出力する」点で一致する。
　引用例１発明の「ソフトウェアによりカーソルの移動処理を行うＣＰＵ」は、傾き角度検出センサから縦方向（Ｙ軸方向）の傾き角度データの読み出しを１０ｍｓｅｃ毎に行い、現在の傾き角度データから前の傾き角度データを引き算した値が５°より大きい場合は、カーソルが置かれていた項目から上方向の次項目にカーソルを移動し、前記引き算した値が−５°より小さい場合は、下方向の次項目にカーソルを移動し、カーソルが置かれた項目を選択するから、本願発明の「カーソル制御手段」と「配列された複数の前記指示キーのいずれかを選択するカーソルを前記傾斜角検出手段の出力信号に基づいて装置が傾斜している方向に移動させ、前記指示キーに前記カーソルを移動させる」点で一致するといえる。
　
　したがって、両者は、
「異なる操作が割り当てられた複数の指示キーが配列されているキー配列画面を用い、複数の前記指示キーのいずれかをカーソルによって選択することで操作を行う操作装置であって、
　装置の傾きを検出して信号を出力する傾斜角検出手段と、
　配列された複数の前記指示キーのいずれかを選択するカーソルを前記傾斜角検出手段の出力信号に基づいて装置が傾斜している方向に移動させ、前記指示キーに前記カーソルを移動させるカーソル制御手段とを具備することを特徴とする操作装置。」
で一致するものであり、次の点（１）、（２）で相違している。
　
（１）本願発明は、傾斜角検出手段が装置の傾きを検出して姿勢信号を出力し、姿勢信号に基づいて装置が傾斜している方向にカーソルを移動させるのに対し、引用例１発明は、角度検出センサが装置の縦方向（Ｙ軸方向）の傾きを検出して出力し、出力された傾き角度データに基づいてカーソルを上下方向に移動する点。
　
（２）本願発明は、装置が傾斜している方向に移動するのは、「キー選択カーソル」であって、「前記キー選択カーソルが位置する前記指示キー」に「カーソル」を移動させるのに対し、引用例１発明は、キー選択カーソルが位置する指示キーにカーソルを移動させるものではない点。
　
４．当審の判断
・相違点（１）について
　引用例１発明における傾き角度検センサは、装置の縦方向（Ｙ軸方向）と横方向（Ｘ軸方向）の傾きを検出して出力するものであり、引用例１には、「図３で示したように選択する項目が、上下、左右にある場合も、入力装置を縦、横に傾けることで対応可能である。」（段落【００１５】）と記載されている。
　また、引用例２には、コンピュータシステム本体の筐体中に内蔵した加速度センサが重力方向と直交するＸ−Ｙ平面の傾きを検出し続けることにより回動を検出し、変換部は、その回動の方向と予め対応づけられた方向にカーソルを移動させるための座標情報を生成してカーソルを移動すること、及び、単に加速度センサ１から得られる筐体の傾きに応じてカーソルを移動制御し、たとえばカーソルを移動させたい方向にシステム本体の筐体を傾けるのみで、所望の方向にカーソルを移動させ続けることが記載されている。
　したがって、引用例１発明において、傾斜角検出手段が装置の傾きを検出して姿勢信号を出力し、姿勢信号に基づいて装置が傾斜している方向にカーソルを移動させるようにすることは、当業者が容易になし得ることにすぎない。
　
・相違点（２）について
　本願発明の「配列された複数の前記指示キーのいずれかを選択するキー選択カーソルを前記姿勢信号に基づいて装置が傾斜している方向に移動させ、前記キー選択カーソルが位置する前記指示キーに前記カーソルを移動させる」は、「キー選択カーソル」と「前記カーソル」の違いが明らかではなく、「キー選択カーソル」と「前記カーソル」があることの作用効果も不明である。
　そこで、キー配列画面における各指示キーの選択のためのカーソルの移動に関し、本願明細書の発明の詳細な説明の記載を参酌すると、「【０００９】また、本発明の操作装置は、異なる操作が割り当てられた複数の指示キーが配列されているキー配列画面を用い、複数の前記指示キーのいずれかをカーソルによって選択することで操作を行う操作装置であって、装置の傾きを検出して姿勢信号を出力する傾斜角検出手段と、該傾斜角検出手段からの前記姿勢信号に基づいて装置が傾斜している方向に前記キー選択カーソルを移動させ、前記キー選択カーソルが位置する前記指示キーに前記カーソルを移動させるカーソル制御手段とを具備することを特徴とする。」（段落【０００９】）、「前記キー配列画面を表示する表示手段と、配列された複数の前記指示キーのいずれかを選択するキー選択カーソルを前記姿勢信号に基づいて装置が傾斜している方向に移動させ、前記キー選択カーソルが位置する前記指示キーに前記カーソルを移動させるカーソル制御手段と、前記受信手段によって受信された前記操作キーの押下信号に基づいて前記カーソルが位置する前記指示キーに割り当てられた操作を実行する中央制御手段とを具備することを特徴とする。」（段落【００１４】）、「【００１６】さらに、本発明の操作装置および操作システムは、異なる操作が割り当てられた複数の指示キーが配列されているキー配列画面において、キー選択カーソルによって複数の指示キーのいずれかを選択するに際し、傾斜角検出手段によって装置の傾きを検出して姿勢信号を出力し、姿勢信号に基づいて装置が傾斜している方向にキー選択カーソルを移動させ、キー選択カーソルが位置する指示キーを選択するように構成することにより、選択したい指示キーが配列されている方向に装置を傾けるだけで、選択したい指示キーの方向にキー選択カーソルを最短距離で移動させることができるため、キー配列画面上のキー選択カーソルを、装置の傾斜に応じて任意の方向に移動させることができ、簡便な操作で所望の指示キーを素早く選択することができるという効果を奏する。」（段落【００１６】）、「【００３１】カーソル制御部１３は、表示部３に表示された楽曲マップ画面３２上の領域を示す楽曲選択カーソル３３の移動と、表示部３に表示されたキー配列画面３４に配列された複数の指示キーＫｍのいずれかを選択するキー選択カーソル３５の移動とを制御する手段である。・・・（中略）・・・、キー配列画面３４においては、キー選択カーソル３５が位置する指示キーＫｍに割り当てられた操作を中央制御部１４に通知する。なお、図９には、キー選択カーソル３５によって指示キーＫ２３が選択されている状態が示されており、キー選択カーソル３５がポイントとして表示されているが、キー選択カーソル３５は、表示しないようにしても良い。また、カーソルとは、情報、領域、指示キー等の選択対象を選択した場合に、選択した選択対象の色を変えたり、反転処理をしたり、アンダーラインを表示したりして選択されていることを示すものであり、カーソルが移動されることにより、カーソルが位置する選択対象が選択される。」（段落【００３１】）、「【００４１】次に、複数の指示キーが配列されているキー配列画面におけるキー選択カーソルの移動動作について図１１を参照して詳細に説明する。図１１は、本発明に係る操作装置の実施の形態におけるキー配列画面でのキー選択カーソルの移動動作を説明するためのフローチャートである。
【００４２】表示制御部１２は、中央制御部１４の制御に基づいて、キー配列画面３４を画面記憶部１１から読み出して表示部３に表示すると（ステップＢ１）、表示部３にキー配列画面３４を表示したことを示す操作画面特定情報をカーソル制御部１３に通知する（ステップＢ２）。
・・・（中略）・・・
【００４４】次に、カーソル制御部１３は、セル情報記憶部９に記憶されているセル情報に基づいて、座標変換部８から入力される姿勢ベクトルＲに対応するカレントセルを特定すると共に（ステップＢ５）、変換テーブル記憶部１０に記憶されている変換テーブルを用いて特定したカレントセルに関連づけられた移動量および速度を特定し（ステップＢ６）、姿勢ベクトルＲの方向に特定した移動量および速度でキー選択カーソル３５を移動させ（ステップＢ７）、キー選択カーソル３５が位置する指示キーＫｍを選択する（ステップＢ８）。なお、キー配列画面３４において、各指示キーＫｍには、それぞれに対応する指示キー領域３６が設定されており、指示キー領域３６は、互いに隣接するように設定される。キー選択カーソル３５は、各指示キーＫｍに対応する指示キー領域３６のいずれかに位置することになり、キー選択カーソル３５が位置する指示キー領域３６に対応する指示キーＫｍを選択されることになる。従って、図１１に示すように、指示キーＫ２３がキー選択カーソル３５によって選択された状態から、指示キーＫ５が選択される状態に移行させたい場合には、図１１に波線矢印で示す指示キーＫ２３から指示キーＫ５の方向に操作装置１を傾けることにより、キー選択カーソル３５を指示キーＫ２３から指示キーＫ５に向けた直線上を最短距離で移動させることができ、短時間で指示キーＫ５を選択することが可能になる。」（段落【００４１】〜【００４４】）及び「【００５１】また、本実施の形態によれば、異なる操作が割り当てられた複数の指示キーＫｍが配列されているキー配列画面３４において、キー選択カーソル３５によって複数の指示キーＫｍのいずれかを選択するに際し、傾斜角検出部６によって操作装置１の傾きを検出して姿勢信号を出力し、姿勢信号に基づいて操作装置１が傾斜している方向にキー選択カーソル３５を移動させ、キー選択カーソル３５が位置する指示キーＫｍを選択するように構成することにより、選択したい指示キーＫｍが配列されている方向に操作装置１を傾けるだけで、選択したい指示キーＫｍの方向にキー選択カーソル３５を最短距離で移動させることができるため、キー配列画面３４上のキー選択カーソル３５を、操作装置１の傾斜に応じて任意の方向に移動させることができ、簡便な操作で所望の指示キーＫｍを素早く選択することができるという効果を奏する。」（段落【００５１】）と記載されており、上記段落【０００９】、【００１４】の記載は本願発明と同じ内容にすぎないから、「キー選択カーソル」と「前記カーソル」の違いは明らかではなく、他の段落には、キー選択カーソルを選択する指示キーに移動することのみ記載されており、キー選択カーソルが位置する指示キーにキー選択カーソルとは異なるカーソルを移動させることは何ら記載されていない。
　そうすると、本願発明は、「配列された複数の前記指示キーのいずれかを選択するキー選択カーソルを前記姿勢信号に基づいて装置が傾斜している方向に移動させ、前記キー選択カーソルが位置する前記指示キーに前記キー選択カーソルを移動させる」ものと解釈される。
　したがって、引用例１発明のカーソルは、本願発明の「キー選択カーソル」に相当するといえるから、この点は実質的な相違点ではない。
　
　なお、たとえ、本願発明が、キー選択カーソルが位置する指示キーにキー選択カーソルとは異なるカーソルを移動させるものであったとしても、カーソルが移動しようとする位置を示す印の表示を行い、その印の位置に実際のカーソルを移動することは、本願出願前周知の技術（例えば、特開２００２−２５１２４７号公報段落【００２１】、【００４２】の記載、特開平２−１８８８１９号公報の第２頁左上欄第１８行〜右上欄第１９行の記載参照）であるから、引用例１発明において、キー選択カーソルを装置が傾斜している方向に移動させ、前記キー選択カーソルが位置する指示キーにカーソルを移動させるようにすることは、当業者が容易になし得ることである。
　　
　また、本願発明の作用効果も、引用例１発明及び引用例２記載の技術から、当業者であれば予想できる範囲内のものである。
　
５．むすび
　以上のとおり、本願請求項１に係る発明は、引用例１発明及び引用例２記載の技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。